(57)【要約】【課題】携帯端末などの電子機器において、押圧キーの操作感、スイッチ周辺の美観を向上できる押圧キー構造を提供する。【解決手段】携帯端末３０は、タッチパネル１２と、タッチパネル１２に貫通形成された開孔１６ａ〜１６ｃに押下げ及び復帰可能に挿通された押圧キー１５ａ〜１５ｃと、ガイド部材２７とを備えている。ガイド部材２７は、その一部であるリング状部２７ｄ〜２７ｆが開孔１６ａ〜１６ｃと押圧キー１５ａ〜１５ｃとの間に介装配置され、当該リング状部２７ｄ〜２７ｆで押圧キー１５ａ〜１５ｃを案内する。ガイド部材２７は、透明なアクリル樹脂から形成され、押圧キー１５ａ〜１５ｃに端末内部のＬＥＤ３１から光を照射すると、押圧キー１５ａ〜１５ｃの周辺が明るく照らされて見える。【選択図】図５
2011187384.tif 000002
【特許請求の範囲】
【請求項１】
押圧キーと、
ガイド部材と、を備え、
前記押圧キーは、電子機器に配設されるタッチパネルに形成された開孔に押下げ及び復帰可能に挿通され、
前記ガイド部材は、少なくともその一部が前記開孔と前記押圧キーとの間に介装配置され、当該一部で当該押圧キーの移動を案内するものである、
ことを特徴とする押圧キー構造。
【請求項２】
前記タッチパネルは、操作面に配設されるフィルム部材と、該フィルム部材の裏面に積層される支持部材と、を含み、
前記ガイド部材は、前記支持部材に一体的に接合していることを特徴とする請求項１に記載の押圧キー構造。
【請求項３】
前記タッチパネルは、操作面に配設されるフィルム部材と、該フィルム部材の裏面に積層される支持部材と、を含み、
前記ガイド部材は、前記支持部材に接着剤により接着されていることを特徴とする請求項２に記載の押圧キー構造。
【請求項４】
前記ガイド部材は、光を透過可能な光透過材料から形成され、
前記押圧キーの周辺を前記電子機器の内部から光照射する光源が設けられ、
前記ガイド部材を通して前記光源からの光を視認可能としたことを特徴とする請求項１乃至３のいずれか１項に記載の押圧キー構造。
【請求項５】
タッチパネルと、
押圧キーと、
ガイド部材と、を備え、
前記押圧キーは、前記タッチパネルに形成された開孔に押下げ及び復帰可能に挿通され、
前記ガイド部材は、少なくともその一部が前記開孔と前記押圧キーとの間に介装配置され、当該一部で当該押圧キーの移動を案内するものである、
ことを特徴とする電子機器。
【請求項６】
タッチパネルと、該タッチパネルに形成された開孔に押下げ及び復帰可能に挿通された押圧キーとを備えた電子機器であって、
請求項１乃至４のいずれか１項に記載の押圧キー構造を備えたことを特徴とする電子機器。
【発明の詳細な説明】
【技術分野】
【０００１】
本発明は、押圧キー構造、及び、電子機器に関する。
【背景技術】
【０００２】
近年、携帯端末などの小型の電子機器において、図６（ａ）に示す携帯端末２０のように、表示画面と操作パネルとを兼ねるタッチパネル１２を採用した製品が急増している。この携帯端末には、携帯電話機、ＰＤＡ（Personal Digital Assistant:携帯情報端末）などが含まれる。
【０００３】
このようなタッチパネル１２は、表示された内容を参照しながら手軽に情報を入力することができるため、ユーザにとって利便性が良好である。しかしながら、その一方で、押下による操作ストロークが殆どないため操作感覚が乏しく、誤操作されることも多い。このため、このような電子機器には、操作を確実とするため、タッチパネル１２に対して、機械式の押圧キーが併設されることがある。
【０００４】
図６（ｂ）に示すように、タッチパネル１２は、抵抗膜方式のタッチパネルであり、＋Ｚ側（厚さ方向の上方）の最上層に配置され、十分な柔軟性を有する矩形状のフィルム部材１３と、その下層に配置され、ガラス板、アクリル板などの硬質な材料からなる支持部材としての支持基板１４と、からなる。フィルム部材１３は、上層から、ＰＥＴ（Polyethylene terephthalate)樹脂からなるフィルム１３ａ、ＩＴＯ（酸化インジウムスズ）からなる透明導電膜１３ｂ、薄く形成された絶縁性のあるドットスペーサ１３ｃ、ＩＴＯからなる透明導電膜１３ｄが順に層を形成して構成されている。フィルム部材１３の操作面（＋Ｚ側の表面）に圧力が付与されなければ、２層の透明導電膜１３ｂ、１３ｄの間隔はそれらに挟まれるドットスペーサ１３ｃによって一定に保たれる。
【０００５】
タッチパネル１２の表面（ＸＹ面）の中央領域には、表示画面と操作部とを兼ねる矩形状のタッチパネル画面１２ａが設けられている。このタッチパネル画面１２ａには、携帯端末２０の各種機能に対応する各種のアイコンが表示される。この機能としては、通信機能（電話、インターネット、ＧＰＳ（Global Positioning System））、内部機能（メモ帳、辞書、ゲーム）などが挙げられる。
【０００６】
タッチパネル画面１２ａの表面が指やタッチペン（スタイラス）で接触されたときには、その接触箇所が凹み、当該接触箇所にて２層の透明導電膜１３ａ、１３ｃが接触する。すると、透明導電膜１３ａ、１３ｃの両端に配置された電極（図示せず）を介して電流が流れ、そのときに発生する電圧値をＡ−Ｄコンバータ（図示せず）を利用して検知することで当該接触位置が検出される。その接触位置にアイコンが存在する場合には、携帯端末２０に搭載されたＣＰＵ（Central Processing Unit:中央演算処理装置)及び送受信機などの周辺機器（図示せず）によって、当該アイコンに割り当てられた携帯端末２０の各種機能が実現される。
【０００７】
図６（ａ）に示すように、タッチパネル画面１２ａの−Ｙ側（下方）のタッチパネル１２内の領域には、＋Ｘ側（左側）から、Ｘ軸に沿って、３つの押圧キー２５ａ、２５ｂ、２５ｃが配置されている。これは、タッチパネル１２には、上述したように誤操作され易い問題があるので、一部の重要な操作をこれら押圧キー２５ａ〜２５ｃに割り当てるためである。このような押し下げ式のメカニカルスイッチによるものは押し下げによる操作ストロークが十分に確保できるため、上述したような不具合がなく、入力操作性に優れるという利点がある。
【０００８】
また、図６（ａ）に示すように押圧キー２５ａ〜２５ｃがタッチパネル１２内に配置されているのは、意匠性の観点のほか、できる限り携帯端末２０の小型化を図りつつ、タッチパネル画面１２ａの配置スペースを広く確保するためである。このため、タッチパネル１２に開孔１６ａ、１６ｂ、１６ｃを貫通形成し、この開孔１６ａ〜１６ｃに、それぞれ、押圧キー２５ａ〜２５ｃを挿通配置している（例えば、特許文献１を参照）。
【０００９】
図７に示すように、押圧キー２５ａ〜２５ｃの−Ｚ側（厚さ方向の下方）には、キーラバー１８が配設されており、キーラバー１８の−Ｚ側には、押圧キー２５ａ〜２５ｃごとに押しスイッチ１９が配線基板１１ｃ上に配設されている。押しスイッチ１９の内部には、押しスイッチ１９を原点位置に復帰させる付勢部材（図示せず）が設けられている。
【００１０】
押しスイッチ１９は、押圧キー１５ａ〜１５ｃがユーザの手指によって押圧力を付与されると、キーラバー１８の−Ｚ側に突設された突起１８ａを介して押し下げられる。そして、配線基板１１ｃに設けられた電気的接点が接続される。そして、押しスイッチ１９の押圧力が解放されると、不勢部材の付勢力によって押圧キー１５ａ〜１５ｃは＋Ｚ側に押し戻され、原点位置に復帰する。そして、配線基板１１ｃに設けられた電気的接点が開放される。
【先行技術文献】
【特許文献】
【００１１】
【特許文献１】特開２００９−１１６８６１号公報
【発明の概要】
【発明が解決しようとする課題】
【００１２】
ところが、このようなタッチパネル１２は、図６（ｂ）に示すように、操作面側に配設されるフィルム部材１３と、該フィルム部材１３の裏面に配設される支持基板１４とを含んでいる。そして、フィルム部材１３と支持基板１４との間に、開孔１６ａ〜１６ｃ内部において段差が生じることがあった（図８参照）。
【００１３】
このため、押圧キー２５ａ〜２５ｃを押し下げた後、当該押圧キー２５ａ〜２５ｃが原点位置に復帰する途中などで、図８に示すように、押圧キー２５ａ〜２５ｃの周縁部が、開孔１６ａ〜１６ｃの内部でフィルム部材１３の下面に潜り込んだり、押圧キー２５ａ〜２５ｃの側面が、フィルム部材１３の段差に引っかかって停止することがあった。
【００１４】
このような現象は、このようなタッチパネル１２を有する携帯端末２０（電子機器）において、押圧キー２５ａ〜２５ｃのタクト感（操作感）を損なうことになり、好ましくない。
【００１５】
本発明は上述した問題を鑑みてなされたものであり、電子機器において、押圧キーの操作感が向上する押圧キー構造を提供することを目的とする。
【課題を解決するための手段】
【００１６】
上記目的を達成するため、本発明の第１の観点に係る押圧キー構造は、
押圧キーと、
ガイド部材と、を備え、
前記押圧キーは、電子機器に配設されるタッチパネルに形成された開孔に押下げ及び復帰可能に挿通され、
前記ガイド部材は、少なくともその一部が前記開孔と前記押圧キーとの間に介装配置され、当該一部で当該押圧キーの移動を案内するものである、
ことを特徴とする。
【００１７】
前記タッチパネルは、操作面に配設されるフィルム部材と、該フィルム部材の裏面に積層される支持部材と、を含み、前記ガイド部材は、前記支持部材に一体的に接合していることが好ましい。
【００１８】
前記タッチパネルは、操作面に配設されるフィルム部材と、該フィルム部材の裏面に積層される支持部材と、を含み、前記ガイド部材は、前記支持部材に接着剤により接着されていることが好ましい。
【００１９】
前記ガイド部材は、光を透過可能な光透過材料から形成され、前記押圧キーの周辺を前記電子機器の内部から光照射する光源が設けられ、前記ガイド部材を通して前記光源からの光を視認可能としたことが好ましい。
【００２０】
上記目的を達成するため、本発明の第２の観点に係る電子機器は、
タッチパネルと、
押圧キーと、
ガイド部材と、を備え、
前記押圧キーは、前記タッチパネルに形成された開孔に押下げ及び復帰可能に挿通され、
前記ガイド部材は、少なくともその一部が前記開孔と前記押圧キーとの間に介装配置され、当該一部で当該押圧キーの移動を案内するものである、
ことを特徴とする。
また、上記目的を達成するため、本発明の第３の観点に係る電子機器は、タッチパネルと、該タッチパネルに形成された開孔に押下げ及び復帰可能に挿通された押圧キーとを備えた電子機器であって、第１の観点に係る押圧キー構造を備えたことを特徴とする。
【発明の効果】
【００２１】
本発明によれば、電子機器において、押圧キーの操作感が向上する押圧キー構造を提供することができる。
【図面の簡単な説明】
【００２２】
【図１】（ａ）は、本発明の実施形態１に係る携帯端末の外観を示す正面図であり、（ｂ）は、同携帯端末の外観を示す側面図である。
【図２】図１（ａ）及び（ｂ）の携帯端末の押圧キー周辺を拡大した分解斜視図である。
【図３】図１（ａ）のIII−III線矢視断面図である。
【図４】本発明の実施形態１に係る押圧キーの動作を説明するための模式断面図である。
【図５】本発明の実施形態２に係る押圧キーの構造を説明するための図であり、図１（ａ）のIII−III線矢視断面図に対応する断面図である。
【図６】（ａ）は、参考例に係る携帯端末の外観を示す正面図であり、（ｂ）は、タッチパネルの断面構造を説明するための断面図である。
【図７】図６（ａ）のVII−VII線矢視断面図である。
【図８】参考例に係る携帯端末の押圧キーの動作を説明するための模式断面図である。
【発明を実施するための形態】
【００２３】
本発明の実施形態に係る押圧キー構造、及び、電子機器について、以下、図を参照しながら説明する。以下の各実施形態では、電子機器として、タッチパネルを有する携帯端末を例として説明する。この携帯端末は、以下に特に説明する場合を除き、背景技術で説明した携帯端末２０と同様な構造及び機能を有するものである。
【００２４】
＜実施形態１＞
図１（ａ）及び（ｂ）に示すように、本実施形態１に係る携帯端末１０は、扁平な直方体形状に構成されている。携帯端末１０は、ケーシング本体１１と、ケーシング本体１１の＋Ｚ側（厚さ方向の上方）の表面に配置された矩形状のタッチパネル１２と、を備えている。
【００２５】
ケーシング本体１１は、アルミニウムなどの軽量金属からなり、矩形箱状の収容ケース１１ｂを備えている。収容ケース１１ｂには、携帯端末１０の通信機能（電話、インターネット、ＧＰＳ（Global Positioning System））、内部機能（音楽再生、メモ帳、辞書、ゲーム）などの各種機能を実現するための電子部品やそれら電子部品を保持するための構造部品が収容されている。また、収容ケース１１ｂの周縁部には、タッチパネル１２を囲むように矩形枠状のラバー部材１１ａが配置されている。そして、タッチパネル１２は、収容ケース１１ｂの内部を閉塞するように収容ケース１１ｂの＋Ｚ側に配置されている。このタッチパネル１２は、参考例の携帯端末２０のタッチパネル１２と同様、抵抗膜方式のタッチパネルである（図６（ｂ）参照）。
【００２６】
図２に示すように、携帯端末１０には、タッチパネル画面１２ａの−Ｙ側領域において、タッチパネル１２に開孔１６ａ、１６ｂ、１６ｃが貫通形成されている。そして、開孔１６ａ、１６ｂ、１６ｃをそれぞれ挿通して押圧キー１５ａ、１５ｂ、１５ｃが配設されている。押圧キー１５ａ〜１５ｃの−Ｚ側（厚さ方向の下方）には、ゴム製のキーラバー１８が配設されており、キーラバー１８の−Ｚ側には、押圧キー１５ａ〜１５ｃごとに押しスイッチ１９が配置されている（図３参照）。押しスイッチ１９は、収容ケース１１ｂに収容された配線基板１１ｃ上に設けられている。また、押しスイッチ１９の内部には、押しスイッチ１９の表面を原点位置に復帰させる付勢部材（図示せず）が設けられている。
【００２７】
押しスイッチ１９は、押圧キー１５ａ〜１５ｃがユーザの手指によって押圧力を付与されると、キーラバー１８の−Ｚ側に突設された突起１８ａを介して押し下げられる。そして、配線基板１１ｃに設けられた電気的接点が接続される。そして、押しスイッチ１９の押圧力が解放されると、不勢部材の付勢力によって押圧キー１５ａ〜１５ｃは＋Ｚ側に押し戻され、原点位置に復帰する。そして、配線基板１１ｃに設けられた電気的接点が開放される。そして、この電気的接点の接続及び開放によって、ＣＰＵ、及び、ＣＰＵに接続された送受信装置、スピーカなどの周辺機器が、押圧キー１５ａ〜１５ｃに割り当てられた各種の機能を実現する。ここでは、押圧キー１５ａには、通信・内部機能モード切換機能、押圧キー１５ｂには、電源オンオフ機能、押圧キー１５ｃには、通常・マナーモード切換機能がそれぞれ割り当てられている。
【００２８】
さらに、本実施形態１の携帯端末１０では、図２及び図３に示すように、開孔１６ａ〜１６ｃと押圧キー１５ａ〜１５ｃとの間の隙間に、一部であるリング状部１７ｄ、１７ｅ、１７ｆが介装配置され、そのリング状部１７ｄ、１７ｅ、１７ｆで当該押圧キー１５ａ〜１５ｃの移動を案内するガイド部材１７が配置されている。
【００２９】
詳しくは、ガイド部材１７は、ゴム、エラストマーなどの柔軟性のある材料を用いて全体が矩形状に形成されている。図２に示すように、ガイド部材１７では、平板状の本体部位１７ｇに、＋Ｚ側にリング状部１７ｄ〜１７ｆが突出形成されている。リング状部１７ｄ〜１７ｆは、押圧キー１５ａ〜１５ｃにそれぞれ対応している。また、リング状部１７ｄ〜１７ｆの内壁面は、本体部位１７ｇを貫通する貫通孔１７ａ、１７ｂ、１７ｃに連通している。そして、図３に示すように、押圧キー１５ａ〜１５ｃは、それぞれ、貫通孔１７ａ〜１７ｃ（リング状部１７ｄ〜１７ｆ）を挿通している。また、ガイド部材１７の本体部位１７ｇは、キーラバー１８と、タッチパネル１２との間に介在するように配置されている。
【００３０】
さらに、ガイド部材１７は、タッチパネル１２の支持基板１４の裏面にエポキシ系の接着剤又は両面接着テープによって接着されている。これにより、タッチパネル１２とガイド部材１７とが一体的に接合され、押圧キー１５ａ〜１５ｃを操作しても、ガイド部材１７が動く不具合が発生しない。なお、ここでのタッチパネル１２の支持基板１４とガイド部材１７との接合には、このような接着剤による接合の他、例えばスナップフィットなどの機械的な接合も適用できる。
【００３１】
ところで、背景技術で説明した参考例の携帯端末２０では、押圧キー１５ａ〜１５ｃが押し下げられた後、原点位置に復帰する途中で、図８に示すように、その周縁部が、開孔１６ａ〜１６ｃの内部でフィルム部材１３の下面に潜り込んで停止する不具合が生じることがあった。
【００３２】
これに対し、本実施形態１の携帯端末１０では、図４に示すように、押圧キー１５ａ〜１５ｃが押し下げられ、押しスイッチ１９の不勢部材の付勢力によって＋Ｚ側に押し戻されるときに、ガイド部材１７のリング状部１７ｄ〜１７ｆによって案内されつつ移動する。このため、押圧キー１５ａ〜１５ｃは、図４に示すように、斜め上方から押圧力を付与されても、フィルム部材１３の下面に潜り込んだり、フィルム部材１３の側面の段差部に接触したりして停止することなく、スムーズに原点位置に復帰する。
【００３３】
このように本実施形態１に係る押圧キー構造では、開孔１６ａ〜１６ｃと押圧キー１５ａ〜１５ｃとの間に、当該押圧キー１５ａ〜１５ｃの移動を案内するようにガイド部材１７のリング状部１７ｄ〜１７ｆを介装配置している。このため、押圧キー１５ａ〜１５ｃは、その操作時に、ガイド部材１７（リング状部１７ｄ〜１７ｆ）で案内され、その周縁部が開孔１６ａ〜１６ｃ内部で停止する不具合が発生しない。この結果、押圧キー１５ａ〜１５ｃのタクト感が損なわれることがなく、常に快適な操作感覚が得られるようになる。
【００３４】
また、本実施形態１に係る押圧キーの案内方法では、携帯端末１０に配設されるタッチパネル１２に形成された開孔１６ａ〜１６ｃに押下げ及び復帰可能に押圧キー１５ａ〜１５ｃを挿通するステップと、開孔１６ａ〜１６ｃと押圧キー１５ａ〜１５ｃとの間に、ガイド部材１７の少なくとも一部を介装配置するステップと、ガイド部材１７の一部で押圧キー１５ａ〜１５ｃの移動を案内しつつ、前記押圧キー１５ａ〜１５ｃを押し下げるステップと、ガイド部材１７のリング状部１７ｄ〜１７ｆで押圧キー１５ａ〜１５ｃの移動を案内しつつ、当該押圧キー１５ａ〜１５ｃを原点位置に復帰させるステップと、を備えている。このように、押圧キー１５ａ〜１５ｃは、その操作時に、ガイド部材１７（リング状部１７ｄ〜１７ｆ）で案内され、その周縁部が開孔１６ａ〜１６ｃ内部で停止する不具合が発生しない。この結果、押圧キー１５ａ〜１５ｃのタクト感が損なわれることがなく、常に快適な操作感覚が得られるようになる。
【００３５】
また、本実施形態１によれば、押圧キー１５ａ〜１５ｃは、ガイド部材１７で案内されるので、フィルム部材１３の開孔１６ａ〜１６ｃ内部の露出断面に縒れ（よれ）などの損傷が発生することがなく、タッチパネル１２の外観品位を長期間維持することができる。
【００３６】
また、本実施形態１によれば、押圧キー１５ａ〜１５ｃは、ガイド部材１７で案内されるので、フィルム部材１３の開孔１６ａ〜１６ｃ内部の露出断面に手指が接触することがなく、押圧キー１５ａ〜１５ｃの操作感を向上させることができる。
【００３７】
また、本実施形態１によれば、押圧キー１５ａ〜１５ｃは、ガイド部材１７で案内されるので、当該押圧キー１５ａ〜１５ｃの操作時に、その側面が開孔１６ａ〜１６ｃ内部の段差に接触する不具合が発生しない。この結果、押圧キー１５ａ〜１５ｃのタクト感が損なわれることがなく、常に快適な操作感覚が得られるようになる。
【００３８】
＜実施形態２＞
本実施形態２の携帯端末３０は、図５に示すように、ガイド部材２７が、光を透過可能な光透過材料から形成されている点、押圧キー１５ａの周辺を携帯端末３０の内部から光照射する光源としてのＬＥＤ（Light Emitting Diode）３１を備えている点、及び、キーラバー２８には、ＬＥＤ３１からの光を透過させる透孔３２が貫通形成されている点以外は、実施形態１の携帯端末１０と同様な構成及び機能を備えたものであるので、対応する部材には同一又は対応する符号を付してその説明を省略する。
【００３９】
本実施形態２の携帯端末３０では、その内部から光照射する光源としての複数のＬＥＤ３１が配線基板１１ｃに配設されている。このＬＥＤ３１は、押圧キー１５ａ〜１５ｃ及び開孔１６ａ〜１６ｃごとに設けられている。そして、ＬＥＤ３１で押圧キー１５ａ〜１５ｃを照明すると、ガイド部材２７を通して各ＬＥＤ３１からの光を視認可能となる。本実施形態のガイド部材２７は、光を透過可能な光透過材料であるアクリル樹脂から形成されている。ガイド部材２７の光透過材料としては、その他、低結晶性のナイロン樹脂、塩化ビニル樹脂、ＰＥＴ樹脂、ポリカーボネート樹脂なども使用できる。本実施形態２の貫通孔２７ａ〜２７ｃは、実施形態１の貫通孔１７ａ〜１７ｃに対応し、リング状部２７ｄ〜２７ｆは、実施形態１のリング状部１７ｄ〜１７ｆに対応し、突起２８ａは実施形態１の突起１８ａに対応する。
【００４０】
ＬＥＤ３１は、配線基板１１ｃに設けられたＣＰＵ（図示せず）に不図示のドライバを介して接続されている。そして、ＬＥＤ３１は、当該ＣＰＵからの制御信号に基づき、所定のタイミングで通電され、発光する。すると、キーラバー２８の透孔３２を通して、ＬＥＤ３１からの光がガイド部材２７に入射する。これにより、ガイド部材２７内で散乱光が光り輝いて見えるとともに、押圧キー１５ａ〜１５ｃの周辺が照明されるようになる。
【００４１】
本実施形態２では、ＬＥＤ３１は、押圧キー１５ａ〜１５ｃの操作と連動し、当該押圧キー１５ａ〜１５ｃが押し下げられたタイミングで発光し、所定時間（＝１ｓｅｃ）後に当該発光を停止するように構成されている。
【００４２】
本実施形態２によれば、上記実施形態１と同様な作用効果が得られる上に、現在操作中の押圧キー１５ａ〜１５ｃの周辺のみがＬＥＤ３１からの光により照明されて見え、これにより操作性が高められるとともに、押圧キー１５ａ〜１５ｃ周辺の美観が向上するようにもなる。
【００４３】
なお、本発明は上記各実施形態に限定されず、種々の変形及び応用が可能である。
上述した各実施形態では、ガイド部材１７（２７）は、全体形状が矩形状であり、平板状の本体部位１７ｇにリング状部１７ｄ〜１７ｆ（貫通孔１７ａ〜１７ｃ）が形成されたものを例に挙げて説明した。しかしこれに限られず、ガイド部材は、互いに分離され、押圧キー１５ａ〜１５ｃの移動をそれぞれ案内する３つ（複数）のリング状の部材から構成されていてもよい。
【００４４】
上述した各実施形態では、ガイド部材１７（２７）は、押圧キー１５ａ〜１５ｃと分離された構造のものとした。しかしこれに限られず、ガイド部材１７は、押圧キー１５ａ〜１５ｃと一体化された構造のものであってもよい。即ち、ガイド部材は、押圧キーの一部であってもよい。
【００４５】
上述した各実施形態では、タッチパネル１２は、抵抗膜方式のものを採用した。しかしこれに限られず、タッチパネル１２は、フィルム部材に形成された開孔に押圧キーが挿通配置されるものであれば、静電容量方式、静電結合方式など、その他の方式を採用することもできる。
【００４６】
上述した実施形態２では、押圧キー１５ａ〜１５ｃの周辺を携帯端末３０の内部から光照射する光源として、ＬＥＤを用いた。しかしこれに限られず、当該光源としては、その他、ＬＤ（Laser Diode）、有機ＥＬ(Electro Luminescence)素子などの、通電により発光する素子を使用することもできる。
【００４７】
上述した実施形態では、電子機器としてタッチパネル１２を備える携帯端末１０、３０を例に挙げて説明したが、電子機器はこれに限られず、タッチパネルを備えるものであれば、例えば、携帯音楽再生機、携帯型の電子辞書、小型のＰＣ（Personal Computer）などであってもよい。
【符号の説明】
【００４８】
１０、３０・・・携帯端末、１１・・・ケーシング本体、１２・・・タッチパネル、１５ａ〜１５ｃ・・・押圧キー、１６ａ〜１６ｃ・・・開孔、１７・・・ガイド部材、１７ａ〜１７ｃ、２７ａ〜２７ｃ・・・貫通孔、１７ｄ〜１７ｆ、２７ｄ〜２７ｆ・・・リング状部、２７・・・（アクリル樹脂からなる）ガイド部材
【図１】
2011187384.tif 000003
【図２】
2011187384.tif 000004
【図３】
2011187384.tif 000005
【図４】
2011187384.tif 000006
【図５】
2011187384.tif 000007
【図６】
2011187384.tif 000008
【図７】
2011187384.tif 000009
【図８】
2011187384.tif 000010